(57)【要約】 【課題】複数のシートをミシン目で同時に切断する際に要する力を軽減すること、およびミシン目に沿って正確に切断することができる切断構造を提供する。【解決手段】シートごとに切断用ミシン目を有し、切断用ミシン目に沿って同時に切断するようにシートを重ねた複数枚のシートからなるシート状物であって、切断用ミシン目は、シートごとに切込部あるいはヒンジ部の位置をずらせて設けたことにより、同一のミシン目構造の複数枚のシートを重合させて同時に切断するのと比べて、ミシン目に沿ってシート片を切断するために要する力を軽減できる、およびミシン目に沿ってシート片を正確に切断できるミシン目構造としたことを特徴とするシート状物。【選択図】図３
2014091561.tif 000002
【特許請求の範囲】
【請求項１】
シートごとに切断用ミシン目を有し、切断用ミシン目に沿って同時に切断するようにシートを重ねた複数枚のシートからなるシート状物であって、切断用ミシン目は、シートごとに切込部あるいはヒンジ部の位置をずらせて設けたことにより、同一のミシン目構造の複数枚のシートを重合させて同時に切断するのと比べて、ミシン目に沿ってシート片を切断するために要する力を軽減できる、およびミシン目に沿ってシート片を正確に切断できるミシン目構造としたことを特徴とするシート状物。
【請求項２】
前記の切断用ミシン目が、前記の複数枚のシートが接合されて一体となっている箇所に設けられている請求項1に記載のシート状物。
【請求項３】
前記の切断用ミシン目が、前記の複数枚のシートが遊離している箇所に設けられている請求項1に記載のシート状物。
【請求項４】
複数のシートが重なった部分であって、シート端部となる箇所に設けられたミシン目では、複数枚のシートのミシン目の切込部またはヒンジ部が同期している請求項１から３のいずれかに記載のシート状物。
【請求項５】
複数のシーが重なった部分が、シートの折りたたみにより形成されている請求項４に記載のシート状物。
【請求項６】
端部でのミシン目が切込部から開始されている請求項４または５に記載のシート状物。
【請求項７】
ミシン目が鋭角を形成する箇所の前後のミシン目を切込部とした請求項１から６のいずれかに記載のシート状物。
【請求項８】
シート状物が、封筒、包装用袋、容器、または帳票である請求項１から７のいずれかに記載のシート状物。
【請求項９】
複数のシートで形成された端部周辺では、ミシン目の切込部またはヒンジ部が同期している請求項８に記載のシート状物。
【請求項１０】
複数のシートで形成された端部でのミシン目の切断開始点は切込部から形成れている請求項８または９に記載のシート状物。
【発明の詳細な説明】
【技術分野】
【０００１】
本発明は、複数のシート類を同時に切断するためのミシン目構造に関し、さらに詳しくは、複数のシートのミシン目を重合させるとともに、シートごとにミシン目の切込部あるいはヒンジ部の位置をずらせて設けたことにより、複数のシートを同時に、比較的弱い力によってミシン目に沿って正確な切断することを可能とするものである。本発明は、紙、合成紙、合成樹脂製フィルムなどのいかなる材質のシート類に対しても適用でき、具体的には、封筒、包装袋、帳票などの開封、再利用部分の切取り、伝票の切り離しなどに利用されるミシン目として広く応用することができる。
【背景技術】
【０００２】
包装用袋、容器や封書などを開口して内容物を取り出したり、帳票の束から必要な伝票を切り取ったり、封書の不要な部分を切り取り残りの部分あるいは切り取った部分を利用するために、ミシン目からなる切断線を設けることは従来からよく行われている。
封書や帳票に関しては、例えば、２枚で葉書の規定重量を満たす上紙と下紙を貼り合わせ、上紙のみをハーフカットしたスリットを介して貼付票と受領票を連接し、上紙と下紙を貫通するミシン目を介して貼付票と葉書部を連接することにより、ミシン目を切断して葉書部を配送伝票から切り離せるようにした配送伝票（特許文献１）や、３辺を開封用ミシン目にて切り取り開封することができ、３辺の開封用ミシン目と封書端縁との間の領域にエンボスによる滑り止めを施した封書（特許文献２）などが提案されている
【０００３】
容器類に関しては、例えば、シート部材の両側縁部を一方の側縁部に設けた糊代を介して接着して断面を四角形にし、表面、底面及び二つの側面からなる角筒体と、該角筒体の両端部を延長してなるフラップからなり、該フラップによって前記角筒体の第１蓋部と第２蓋部を形成してなる包装用容器において、記包装用容器の長手方向の中間位置に、表面と底面と一方の側面に亘って開封用ミシン目を設け、他方の側面に前記開封用ミシン目の両終端部を結ぶ押し切り用ミシン目が設けられている減容可能な包装用容器（特許文献３）が提案されている。
【０００４】
また、単一のシートを途中で切り取るにあたり、二本のミシン目をほぼ平行に設けてミシン目部分での切り取りを簡便とすることが知られており、例えば、ラップフィルムへの差込み性を損なうことがなく、手などとの摩擦を低減させるためには、刃山の両端の縁部を円弧状にし、ラップフィルムの円弧状伝播を抑制するためには、掩蓋片と開封片を区分する切れ込み形状を平行な二重ミシン目とするラップフィルム用収納箱（特許文献４）や、ペットボトルやビンなどに筒状に貼られたラベルの剥離や、掃除用に用いられている粘着テープロールのテープを、一回の動作で簡単に剥がせるようにする筒状に巻く広告宣伝や包装用において、ロール状に巻き、略１回転ごとに剥離して使用する薄いフィルムまたはテープにおいて、幅方向に切れ目を持つ二本のミシン目をほぼ平行に構成して剥離導入部とし、一方のミシン目の一部に該シートやテープを剥離しやすくする剥離誘導部を設けた剥離用ミシン目の構造（特許文献５）が提案されている。
【先行技術文献】
【特許文献】
【０００５】
【特許文献１】特開２００８−２６５１２８号公報
【特許文献２】特開平１１−４８６４７号公報
【特許文献３】特開２００８−２９０７６９号公報
【特許文献４】特開２００７−３２６５８８号公報
【特許文献５】特開２２００８−４４６６９号公報
【発明の概要】
【発明が解決しようとする課題】
【０００６】
本発明は、上記の従来技術におけるミシン目に沿って切り取る際と比べて、すなわち、同一のミシン目構造の複数枚のシートを重合させて同時に切断するのと比べて、弱い力によっても正確にミシン目に沿って切り取りが可能となるように改善したミシン目を提供しようとするものである。
ミシン目を設けることにより紙類などの切断を行うことは簡単な技術であるように見られがちであるが、強い力を必要としないで正確に切り取ることができるミシン目を形成することは困難であり、従来、数多くの製品において技術的改善が提案されてきた。しかしながら、複数のシートを同時に同じ箇所で切断するにあたっては、大きな力を必要とし、ミシン目に大きな力をかけることにより切断線がミシン目以外の箇所に誤って大きくずれることがしばしば発生することが経験されている。
本発明者らはこうした従来技術の問題点を改善するために鋭意努力を重ねることにより、これらの問題点を解決して、複数枚のシートを弱い力でミシン目に沿って正確に切断することができる切断線を開発することを目的とする。
また、本発明は、切断に大きな力を要しないため強度の小さい紙などのシート材料に適用できるし、また、たとえ強い力がミシン目にかかった場合であってもミシン目を外れての切断が起こり難くいばかりか、切断面は綺麗であり手切れなどの負傷が生じることのないミシン目を提供しようとするものである。
さらに、本発明は、封筒、帳票、包装箱や袋などシート類を使用した物品に広く適用可能なミシン目よりなる切断構造を提供しようとするものである。
【課題を解決するための手段】
【０００７】
本発明は、以下の（１）ないし（１０）の特定のミシン目構造を有するシート状物に係わる。
（１）シートごとに切断用ミシン目を有し、切断用ミシン目に沿って同時に切断するようにシートを重ねた複数枚のシートからなるシート状物であって、切断用ミシン目は、シートごとに切込部あるいはヒンジ部の位置をずらせて設けたことにより、同一のミシン目構造の複数枚のシートを重合させて同時に切断するのと比べて、ミシン目に沿ってシート片を切断するために要する力を軽減できる、およびミシン目に沿ってシート片を正確に切断できるミシン目構造としたことを特徴とするシート状物。
（２）前記の切断用ミシン目が、前記の複数枚のシートが接合されて一体となっている箇所に設けられている上記（１）に記載のシート状物。
（３）前記の切断用ミシン目が、前記の複数枚のシートが遊離している箇所に設けられている上記（１）に記載のシート状物。
（４）複数のシートが重なった部分であって、シート端部となる箇所に設けられたミシン目では、複数枚のシートのミシン目の切込部またはヒンジ部が同期している上記（１）から（３）のいずれかに記載のシート状物。
（５）複数のシーが重なった部分が、シートの折りたたみにより形成されている上記（４）に記載のシート状物。
（６）端部でのミシン目が切込部から開始されている上記（４）または（５）に記載のシート状物。
（７）ミシン目が鋭角を形成する箇所の前後のミシン目を切込部とした上記（１）から（６）のいずれかに記載のシート状物。
（８）シート状物が、封筒、包装用袋、容器、または帳票である上記（１）から（７）のいずれかに記載のシート状物。
（９）複数のシートで形成された端部周辺では、ミシン目の切込部またはヒンジ部が同期している上記（８）に記載のシート状物。
（１０）複数のシートで形成された端部でのミシン目の切断開始点は切込部から形成れている上記（８）または（９）に記載のシート状物。
【発明の効果】
【０００８】
本発明により、従来技術におけるミシン目に沿って切り取る際と比べて、すなわち、同一のミシン目構造の複数枚のシートを重合させて同時に切断するのと比べて、弱い力によっても正確にミシン目に沿って切り取りが可能となるように改善したミシン目を有するシート状物を提供することができる。
また、本発明により、切断に大きな力を要しないため強度の小さい紙などのシート材料に適用できるし、また、たとえ強い力がミシン目にかかった場合であってもミシン目を外れての切断が起こり難くいばかりか、切断面は綺麗であり手切れなどの負傷が生じることのないミシン目を有するシート状物を提供することができる。
さらにまた、本発明により、封筒、帳票、包装箱や袋などシート類を使用した物品に広く適用可能なミシン目ミシン目を有するシート状物を提供することができる。
以上の通り、本発明のシート状物が有する切断用ミシン目構造は次の効果を奏するものである。
（１）通常、複数のシート同時に同じ箇所で切断するにはシート数に応じて大きな力を必要とするが、本発明のシート状物が有する切断用ミシン目構造では比較的小さい力で複数のシートを同時に切断することができる。
（２）ミシン目に大きな力をかけることがないので、切断線がミシン目以外の箇所に誤って大きくずれることがなく、弱い力でミシン目に沿っての正確な切断が可能である。
（３）強度の小さい紙などのシート材料を使用した場合にも、ミシン目を外れての切断が起こり難くい。
（４）切断面は綺麗であり手切れなどの負傷が生じることのないミシン目を提供できる。
（５）シートの材質を選ぶことがない。
（６）封筒、帳票、包装箱や袋など広い範囲の物品に適用できる。
【図面の簡単な説明】
【０００９】
【図１】本発明の切断構造の断面などを模式的に示す。
【図２】本ミシン目を封筒の開封に応用した例を示す。
【図３】使用済みの封筒の一部を切取ることにより切り取った部分を再利用するための封筒の外観を示す。
【図４】使用済み封筒の一部を切り取りブックカバーとして利用できる封筒の展開図を示す。
【図５】使用済みの封筒の一部を切取ることにより切り取った部分を再利用するための封筒にあって、図３の封筒とは異なる位置にミシン目を形成した例を示す。
【図６】図５に示した封筒の展開図であり、ブックカバーを切り取ることができる。
【図７】書類用ファイルを切り取ることができる封筒の外観を示す。
【図８】書類用ファイルを切り離した状態を示す。
【図９】本発明のミシン目を応用した伝票の外観を示す。
【図１０】図９の伝票の断面形状を示す。
【図１１】書類用ファイルを切り取ることができる封筒の展開図を示す。
【図１２】図１１におけるＢ1の部分の拡大図であり、折り目の左右近傍での切込部あるいはヒンジ部が同期し、離れた部分ではそれらの位置がずれていることを示す。
【図１３】封筒端部Ｂ４１付近でのミシン目の構造と切取り部Ｒの拡大図を示す。
【図１４】封筒の端部Ｂ４２でのミシン目の構造を示す。
【図１５】屈曲している部分Ｂ３２でのミシン目の構造を示す。
【図１６】屈曲している部分Ｂ３１でのミシン目の構造を示す。
【発明を実施するための形態】
【００１０】
本発明は、ミシン目に沿って複数枚のシートを同時に切断できる切断用ミシン目構造であって、該複数のシートのミシン目を重合させるとともに、シートごとのミシン目の切込部あるいはヒンジ部の位置をずらせて設けたことにより、ミシン目に沿って複数のシートを切断するに要する力を軽減することおよびミシン目に沿って正確に切断することができるシート状物の切断用ミシン目構造に関する。本発明の切断用ミシン目構造は、封筒、包装用袋、容器、帳票などの開封、不要部分を切断除去して残りの部分を有効利用する際、あるいは必要な部分を切り取り利用する際に有用である。
【００１１】
封筒類の複数枚のシート類を同時に切り取るには、通常は指先でミシン目に沿って力を加えてミシン目から切り離すことが行われる。複数枚のシート類を同時に切り取るには、シート類の材質、厚み、ミシン目の切込の長さなどによりも影響を受けるが、通常、一枚のシートの切り取りよりも強い力を必要とする。すると、指先に強い力を出すことが出来ない状況にあると切り取りが困難となる。また、強い力で切り取ろうとすると過剰な力を切断部にかけることもなり、切断線がミシン目から外れてしまうことがしばしば生ずることは誰しも経験しているところである。本発明は、このような不都合をなくすることができる簡単な切断用ミシン目構造を提供するものである。本発明で使用できるシート類としては、紙が代表的なものであるが、その種類、厚みなどは選ばないし、合成紙や合成樹脂シートなどにも広く適用できる。
【００１２】
本発明のミシン目とは、切り離しやすいように、紙などのシート状物に形成した連続した一連の切込部と切込間のヒンジ部とから構成されているものである。複数のシートのミシン目は互いに重なり合うように同一線上に重合して形成され、また、各シートのミシン目の切込部またはヒンジ部の位置はずらせてまたは同期しないように形成されている。そのため、ミシン目に沿って切断する際には複数のシートのヒンジ部の全てを同時に切断する必要はないため強い力を必要とはしない。
【００１３】
［本発明の原理の説明］
本発明の切断用ミシン目構造の一例を図１に模式的に示して説明する。図１は二枚のシート（b１）、（b２）が重ね合わされた例であり、ミシン目は、シート（b１）およびシート（b２）に共に形成されている。ミシン目をシート上面から見ると、（ａ）に示すごとくシート（b１）の切込部２１が点線上に見える。シート（b１）とシート（b２）のミシン目の位置は上下に重合して同一の線上にある。図１において、Ａの部分は上下のミシン目の切込部１１、１２とヒンジ部２１、２２の位置をずらせた部分であり本発明の特徴を最も良く示している箇所である。Ｂの部分は両者が同期して形成されている部分を示している。切込部またはヒンジ部の形成位置が一致しているＢの部分は、例えば、封筒などの端部で切断が開始される部分に形成され、Ａは封筒内部で切断される部分に形成されている。
図１の（c１）および（c２）は切込部１１、１２を谷とし、ヒンジ部２１、２２を山として示した模式図である。図示したミシン目に沿って切断するには、まず、切断開始部であるＢの切込部１１、１２から切り離しを開始し順次内部のＡへと進行する。Ｂ部は必要に応じて設けられる部分であり、切込部あるいはヒンジ部から開始することができる。端部が切込部からなるようにミシン目を設けることにより切込部からの切断開始が用意となる。また、端部がヒンジ部から始まるようにすると搬送時などに自然に切断が開始されることを防止することができる。
【００１４】
本発明の切断用ミシン目構造を利用する封筒や包装用袋、包装箱などでは、内部に物品を収納した状態で輸送される際にミシン目に力が加わることがあってもミシン目が自然に破損することがないように切断開始端部は強度を大きくし設定しておくことが好ましい。そのため、端部Ｂでは上下のシートの切込部とヒンジ部を同期させて、二枚のシートのヒンジ部２１、２２を同時に破損しなければならないような構造としている。しかし、最端部は切り込み部から始まることが好ましい。図示した例では、まず切込部１１、１２から切断が開始されてヒンジ部２１、２２が同時に切断される。次いで、切込部へと進行する。切断がＡにまで達すると、切断される箇所はヒンジ部２２と切込部１１の組み合わせとなり、（b１）（b２）または（ｃ１）（c２）においていずれかのヒンジ部２２切り取るだけで切断が進行する。したがって、Ａでは切断に必要な力はＢの半分で良いこととなる。
切断の開始点となるＢの端部については、封筒類の使用時に端部から自然に開封されるおそれが強い場合には強度の強いヒンジ部から開始し、そうしたおそれがない場合には切込部から開始することが好ましい。
【００１５】
［ミシン目の詳細］
本発明では、各シートに形成されたミシン目を同一線上に重合させると同時に、各シート間の切込部またはヒンジ部の位置はずらせて設けられる。各シート間のミシン目を正確に重合させる必要はないが、ミシン目に沿って切断するに要する力を集中させるためにはできるだけ一致させることが好ましい。
好ましいミシン目の切込部とヒンジ部の長さは、シートの材質、厚み、切断後の切り口の状態などに応じて適宜決定されるが、例えば、切込部の長さを１．５〜５．０mm、さらに好ましくは２．０〜３．０mmの範囲とすることが好ましい。ヒンジ部の長さは、好ましくは０．４〜２．０、さらに好ましくは０．５〜１．５mmとすることが好ましい。
切込部の長さ１．０に対してヒンジ部の長さを２．０〜６．０の範囲とすることが好ましい。具体的な切込部とヒンジ部の長さは、例えば、１００ｇ／ｍ２の紙では、切込み部を２．０ｍｍ、ヒンジ部を０．５mmとすることがましい。
切込部とヒンジ部の長さおよび切込部／ヒンジ部の比率は、封筒などの常時の使用におけるミシン部の強度を確保するために、また、ミシン目の切断強度と、切断後の断面状態に影響を与えるため上記の範囲とすることが好ましい。
【００１６】
ミシン目に沿っての切断が開始される部分は封筒などの通常の使用時においてかかる力により切断されることがないように強度を大きくしておくことが好ましい。そのため切断開始箇所については、複数のシートのミシン目の切込部あるいはヒンジ部が同期するようになすことが好ましい。例えば、一枚のシートを折りたたんで封筒を作成する場合は、折り目が切断開始箇所になることがある。この場合には、折り目箇所で二枚のシートが遊離して重なった状態となる。ここでは、あらかじめ折り目の前後には切込部とヒンジ部が同期するようにミシン目を形成しておく。また、シートの端部を接着して封筒の端部とした箇所では、両シート端は接合されて一体となっているが、シート端部の両ミシン目が正確に同調するように端部を接合することが好ましい。また、切断の開始となるミシン目は切込部から開始することが好ましい。
端部における切込部とヒンジ部は、例えば、切込部が０．５〜３．０mmが好ましく、さらに１．０〜２．５mmの範囲にあることが好ましい。また、ヒンジ部が０．５〜２．０mm、さらに０．７〜１．５ｍｍの範囲にあることが好ましい。この範囲より選ばれることにより切断開始箇所の強度が確保される。また、この同調した部分Ｂの長さは、端部からの長さが５．０〜１２．０mmの範囲が好ましく、６．０〜９．０mmまでの範囲であることがさらに好ましい。
【００１７】
ミシン目は直線状に形成することが多いが、曲線に形成しても良い。例えば、直線状のミシン目が交わる箇所では曲線とし、また他の部分では必要に応じて山型形状または谷型形状とすることが行われる。山型形状または谷型形状が、例えば、約２０mm以下の曲線となる場合には、山型形状または谷型形状に直線から変化する前の直線部分を切込部としてミシン目を形成することが好ましい。また、ミシン目が直線部分から鋭角で直線部分に変化する箇所でのミシン目は、変化する前後のミシン目の大部分を切込部により形成することが好ましい。
次に本発明の切断用ミシン目構造を封筒類に適用した場合を具体的に説明するが、包装用袋や容器、その他にあっても同様に適用できることは言うまでもない。
【００１８】
［封筒類に適用した例１］
本発明の切断用ミシン目構造は種々の封筒、包装材、包装箱など広い範囲で適用することができるが、以下に封筒類に適用した例について説明する。図２にはミシン目からなる切断線（開封線）が封筒を横断して胴部に設けられた例である。封筒には物品または書類を収納後密封して輸送した後、受領者は切断線１５のミシン目から切断して開封することができる。切断線はミシン目からなり封筒中央部Ａでは、上下のシートのミシン目の切込部またはヒンジ部が位置をずらせて設けられている。封筒の端Ｂ部では、上下に重なるミシン目の切込部とヒンジ部が同期して形成されている。Ｂ部は封筒の端部からなることから切断開始部となり開封時の力が強くかかることがあるために強度を大にしている。Ａ部は比較的弱い力で切断することができる。本形式の封筒では、二枚のシートはミシン目の位置では接合されることなく離れて遊離している。ミシン目は封筒となった際に、あらかじめ所定の構造となるようにシートに形成されている。
【００１９】
［封筒類に適用した例２］
一度使用した封筒などの包装材を他の種類の物品として使用することができる。例えば、封筒の内面にブックカバーとして使用できるような印刷をあらかじめ施しておき、その封筒を使用後にミシン目などの破断線に沿って切断することにより、意匠性に優れたブックカバーとすることができる。図３には、そのような封筒の一例を示す。この封筒にはミシン目１５ａ，１５ｂ、１５cが連続して形成され、端部Ｂ１またはＢ２から切断を開始することにより長方形の紙片が切り取られる。この時、封筒の端部となるミシン目は切込部とヒンジ部を同期させ、他の部分は切込部またはヒンジ部をずらせている。ミシン目が屈曲する部分は、切断し易いようにあらかじめ切込部としておくことが望ましい。また、大きく曲線を描くようにミシン目を形成することにより他の直線部分と同じようなミシン目とすることができる。
【００２０】
図３に例示した封筒は、図４の展開図に示す用紙より組み立てられる。内部に印刷され切り取られる部分は、ブックカバーとして利用することができるようになっている。封緘部を有する表シート３と裏シート４からなる一枚のシートからなる。ミシン目は封筒の展開シートを切り出すと同時または切り出した後に形成される。その後、折り線１６で折り返して、のり部８、９を介して表シート３と裏シート４を張り合わせることにより封筒とする。ブックカバーとして切り取る部分の外周には１５ａ、１５b、１５cからなる連続したミシン目が形成されている。封筒シートが折り曲げられる折り線１６の前後のミシン目は、折り曲げた際に左右の切込部またはヒンジ部が同期するように形成されている。すなわち、封筒となった後は、表シート３と裏シート４を貼り合わせた封筒の端部ではミシン目が同じ線上にあるように重合される。同時に、他の部分のミシン目は、表裏を接合する際には切込部あるいはヒンジ部の位置がずれるように張り合わされる。
【００２１】
［封筒類に適用した例３］
図５には、図３とは異なる形式のミシン目を有する封筒が例示され、ミシン目に沿った切断が４個の端部のいずれから切断が開始されても良い構造となっている。図５に記載の封筒は切断開始点を、封筒の端部で接着剤により表シートと裏シートを接着した端部Ｂ３、Ｂ４にも有している。接着によりシート端部を一体化した端部Ｂ３、Ｂ４は強度が増加しているため思いがけない力がかかることにより封筒の使用時にミシン目に沿って不用意に切断されるおそれが少ないが、表シートと裏シートの切込み部あるいはヒンジ部を同期させることにより強度の増加を図ることが好ましい。特に、中央部の折り目部分で、Ｂ１、Ｂ２となる部分の強度が弱いことも考えられるので、切込部とヒンジ部が同期したミシン目とすることが望ましい。他の部分は上下のシートの切込部とヒンジ部が位置をずらせて設けられている。図６には、図５に示した封筒の展開図が示されている。
【００２２】
［封筒類に適用した例４］
図７は使用済みの封筒からファイル３１を切取ることができる例の概略平面図であり、図８はミシン目に沿って切断し、ファイル３１を切り離した状態の図である。図７に示すように、この封筒は、一般的な定形封筒と実質同様の構造を有する袋状の封筒である。具体的には、表裏一対のシートを重ねた状態において、一対のシートの端縁同士が連結された右側端部８と、一対のシートの下端縁同士が連結された下端部９と、シートの折り曲げ線４を左端部として有する封筒である。この封筒の内部には上端縁間に形成される開口部から書類などの物品を入れて、封緘を折り曲げて他方のシートに貼付ければ、封筒の内部に物品を密封することができるから、そのまま封筒を郵送などに使用することができる。
【００２３】
この封筒には、上端縁の内方には切断線１５ａが形成されている。この切断線１５ａは、ミシン目によって封筒の上端縁と平行に形成されるととともに、上下のミシン目１５ａ同士が重合するように形成されている。また、封筒右側端部８の内方には、側方のミシン目１５ｂが形成されている。この右側端部のミシン目１５ｂは、ミシン目１５ａと下端部９との間を結び、かつ右側端部８と平行に形成されている。上下のミシン目１５ｂも上下で重なり合うように形成されている。封筒の上側シートの右側端部のミシン目には、書類ホルダとなった場合に開口がスムースに行えるようになすための切取り部Ｑが形成され、下端部９の近傍には、ファイルを開ける際に力が下端の接合部に集中しないようにするための切取り部Ｒが設けられている。
【００２４】
この封筒をミシン目に沿って切断することにより封筒を開封することができる。封筒の上端縁を切り離した後、側方のミシン目１５ｂに沿って右側端部８を切り離せば、封筒からファイルを分離することができる（ 図８ ）。ファイル３１は、その上端と右端に連続する開口部を有する形状となり、市販されている２辺が開口部となった書類用ホルダと実質同様の形状となる。
【００２５】
本実施形態の封筒を使用すれば、郵送されてきた封筒から封筒とともに送られてきた書類のファイリング用の書類ホルダとしてそのまま使用することができる。また、ファイル を別な書類などをファイリングする書類ホルダとして使用することも可能となるから、封筒の再利用をなすことができる。
【００２６】
封筒に形成された切断線はミシン目により形成され、上下のシートのミシン目を重合させるとともに、シート毎のミシン目の切込部あるいはヒンジ部の位置をずらせて設けられている。特に、ミシン目の切取りが開始される封筒端部であるＢおよびＣでは上下のミシン目の切込部あるいはヒンジ部が同期している。切断線の形状が変化する箇所においては、シートのミシン目を切込部とすることが好ましい。また、ミシン目が鋭角にその経路を変える箇所では、角部の前後を切込部とすることにより正確な切断が容易になる。本封筒のミシン目が小さな半円形に変化する直前には切込部とし、ミシン目が鋭く変化する前後では前後を切り込み部とすることが好ましい。
【００２７】
［封筒などに用いるシートの材質］
封筒などのシートの素材は特に限定されず、どのような素材を使用しても良いが、一番身近な材質としては紙を上げることができる。紙には種々の種類が有り、封筒、包装材、容器などの材料としてよく用いられている範囲内であればいずれのものも差し支えなく使用できる。本発明で好ましく使用できる紙としては、例えば、坪量で１２７．９g／m２の上質紙、１００g／m２晒クラフト紙、８５g／m２半晒クラフト紙などが挙げられるが、封筒や包装容器に使用できないような極端に厚い紙や薄い紙は好ましくはない。ポリプロピレン（ＰＰ）やポリエチレンテレフタレート（ＰＥＴ）、プラスチックなどの光透過性を有する樹脂類を材料とすることができ、例えば、ファイル３１を内部が透けて見える書類ホルダ、いわゆるクリアファイルとして使用することができる。すると、ファイル３１を使用したときに内容物の確認が容易になるから、再利用する確率を高くすることができる。透明であっても、シートの表面に印刷をすれば、内部が見えないようにすることも可能である。また、合成紙などの使用が可能である。
【００２８】
［帳票に適用した例］
帳票類としては、出金や入金、出荷、納品などを記録として蓄積したり、相手方へ通知するために作成される書類で、出納帳、仕訳帳、入出金伝票、売上伝票、請求書、領収書、納品書など様々な種類のものが含まれる。企業での情報システムは、こうした記録の管理を電子的に行うことが行われてはいるが、紙の帳票を作成したり印刷したりしてこれを伝達媒体とするシステムも未だ機能している。
帳票類には、同じ種類の伝票（例えば、領収書）を複数まとめて閉じて一冊となし、使用時にはミシン目などより切り離して使用されることが多いが、例えば、仕入れ帳票、配送用の帳票や売上用の帳票にあっては、異なる伝票類が組となり、記入後には複数の伝票を切り離して必要とする部署にそれぞれ手渡したり、配送することで次の手配が行われる。この時、複数の伝票を同時にミシン目から切り離すことが行われる。
【００２９】
具体的には、配送用の伝票には、配送用の宛名を記入した品物に貼着する伝票、依頼人に手渡す伝票、荷物を受託した店の控え伝票、配送責任者の控え、などがあり、例えば、配送依頼人への伝票と控え伝票を同時に切り取ることが必要となることがある。複数伝票のミシン目で切り取る際には伝票が破損しないように注意する必要があるが、本発明の切断構造を採用することにより、弱い力でも複数の伝票を正確に切り離すことが可能となる。
図９には、送付用の伝票の一例の外観を示している。この伝票は，台紙上３３に４枚の伝票３２が左端部で結合された帳票とされ、使用時には、そのうちの上から連続した３枚がミシン目１５に沿って同時に切り取られる。この時に、３枚の伝票のミシン目は、それぞれの切込部またはヒンジ部が位置をずらせて設けられていることにより、３枚の伝票を同時に比較的弱い力で正確に切り取ることを可能とする。図１０には図９に記載の伝票の断面を示す。
【００３０】
以下に、本発明の具体例により説明するが、これらの実施例により本発明が限定されるものではない。
【実施例１】
【００３１】
上記の封筒に適用した例４に示したミシン目に沿って切断することにより紙ファイルを形成することができる封筒についてそのミシン目について具体的に説明する。
この封筒の完成した外観は図7に示すように、封筒の右端部と下端部は接着剤などで接合され、左端部は折り曲げ部からなり、上端は開口を形成している。ミシン目１５ａは左端部から右端部まで直線となり、下に直角に屈曲して１５ｂとなり下端部にまで達し、下端では接着剤などで接合された部分を横断している。図１１は、この封筒の展開図である。封筒は折り線からシートを折り曲げて端部の接合部８、９を重ね合わせて接合することにより封筒となる。同時に、上下のミシン目は重合され、シート間のミシン目の切込部またはヒンジ部の位置がずれるように、また、端部では同期するように張り合わされる。それには、シートの左右端部８および下端部９が正確に重なり合い重合状態となるように、また、貼り合わせた時に、重合したミシン目の切込部あるいはヒンジ部の関係が所定のものとなるようにあらかじめミシン目は形成されている。図１１の右シートには、半円形の切取部Ｑ、および三角形状の切取部Ｒが設けられている。
【００３２】
図１１に記載のミシン目は、基本的には、２mmの切込部と０．５mmのヒンジ部が交互に形成されてなり、１５ａと１５bの切込部またはヒンジ部は位置がずれて重なるように形成されている。Ｂ１、Ｂ３１、Ｂ３２、Ｂ４１、Ｂ４２におけるミシン目のについて詳しくは図１２から図１６に示されている。左右のシート片が折り曲げられてミシン目が重なり合い、切断の開始点となる端部となる折目部分のＢ１については図１２に拡大図が示されている。折り目１６から左右に９mmの幅では長さ２mmの切込部と１mmのヒンジ部が設けられ、封筒となった際には、その端部に切込が位置するように設けられている。すなわち、折り目を挟んで左右には２mmの連続した計４mmの切込部とそれに続く左右に２個の２mmの切込部が設けられ、この部分では切込部またはヒンジ部が重合時には同期するようになっている。
【００３３】
図１３は展開図におけるＢ４１の拡大図であり、図１４はＢ４２の拡大図である。図１３および図１４示された切断開始端部では上下シートの切込部またはヒンジ部が同期し、他の部分では同期しないようにミシン目が設けられている。図１３に示された切取り部Ｒは、小さな形状の部分であり鋭い変化がミシン目に設けられ途中に小さいヒンジ部が設けられていているため、切取り部Ｒの大部分は切込部からなる。また、切取り部Ｑの部分は、円弧状に切取りの開始部分、直線から円弧に変化する直線部分は切込部が設けられ、円弧部分は２mmの切込部と０．５mmのヒンジ部の繰り返しからなっている。このように封筒から切り取られてファイルとなる表シートの縦端部には、半円形状と約三角形状の切込みが設けられている。ミシン目が半円形状に変化するその付け根の３mmは切込部としてミシン目に沿って切断する際に変化する端部での切断線の誤りをなくすることができる。また、三角形状の部分のような鋭角で変化するミシン目を有する箇所の周辺部は、図１３に見られるように切込部が主となるようにしておくことが好ましい。
【００３４】
図１５には図１１のＢ３２に相当する部分、図１６には図１１のＢ３１に相当する部分の拡大図を示している。Ｂ３１、Ｂ３２の部分はミシン目が弧状に形成されている。この部分をも長さ２mmの切込部と０．５mmのヒンジ部からなり、上下シートの切込またはヒンジ部がずらして重合するように形成されている。水平のミシン目からシート端部の開口端部となる箇所に伸びているミシン目は切込部またはヒンジ部が同期するように設けられている。ここでも最端部には切込部とすることが好ましい。
【産業上の利用可能性】
【００３５】
本発明は、ミシン目に沿ってシート片を切断に要する力を軽減することおよびミシン目に沿って正確に切断することができる切断構造に関し、複数のシート状物をミシン目に沿って同時に切断するために有用であり、ミシン目を利用して切断を利用するする物品であればいずれにも応用することができる。本発明の切断用ミシン目構造は、封筒、包装用袋、容器、帳票など広く応用することが可能であり、封筒、包装袋の開封や開封後の他の用途への再利用に適した切断構造を提供するものであり、農産物の搬送用袋、容器類にも応用することができる。
【符号の説明】
【００３６】
１、１１、１２：ミシン目の切込部
２１、２２：ミシン目のヒンジ部
１５、１５ａ、１５b、１５c：ミシン目
８、９：接合部
３：表シート
４：裏シート
１６：折り目
３２：伝票
３３：台紙
Ｂ：封筒のミシン目の切込部あるいはヒンジ部が同期した部分
Ｂ1、Ｂ２：折り目で形成された封筒端部
Ｂ３、Ｂ４：シートの接合により形成された封筒端部
Ｑ、Ｒ：切取り部
（ａ）：ミシン目の外観
（b１）、（c１）：上シート
（b２）、（c２）：下シート
【図１】
2014091561.tif 000003
【図２】
2014091561.tif 000004
【図３】
2014091561.tif 000005
【図４】
2014091561.tif 000006
【図５】
2014091561.tif 000007
【図６】
2014091561.tif 000008
【図７】
2014091561.tif 000009
【図８】
2014091561.tif 000010
【図９】
2014091561.tif 000011
【図１０】
2014091561.tif 000012
【図１１】
2014091561.tif 000013
【図１２】
2014091561.tif 000014
【図１３】
2014091561.tif 000015
【図１４】
2014091561.tif 000016
【図１５】
2014091561.tif 000017
【図１６】
2014091561.tif 000018